(57)【要約】【課題】生産性を向上させ、かつ筆記具の落下等による特に強い衝撃があってもインクのカスレも生じにくく、かつ筆記方向に書いてある文字を確実に読むことができる十分な視認性を付与し、終筆まで使用可能であり、しかも、生産性に優れる筆記具を提供する。【解決手段】ペン先４０が、筆記部となる多孔体４５と、該多孔体を保持し、筆記部にインクを供給するためのインク誘導部５０を少なくとも１つ有する保持体５５とを備え、筆記具本体に含まれるインクを、上記保持体に設けたインク誘導部５０に供給するための中継多孔体３０を有し、かつ、上記保持体５５が、筆記方向を視認できる視認部となる筆記具であって、上記インク誘導部５０は略中央部に配置すると共に、インクを含浸させたインク供給芯５１を配設したことを特徴とする筆記具Ａ。【選択図】図１
2014050970.tif 000002
【特許請求の範囲】
【請求項１】
ペン先が、筆記部となる多孔体と、該多孔体を保持し、筆記部にインクを供給するためのインク誘導部を少なくとも１つ有する保持体とを備え、筆記具本体に含まれるインクを、上記保持体に設けたインク誘導部に供給するための中継多孔体を有し、かつ、上記保持体が、筆記方向を視認できる視認部となる筆記具であって、上記インク誘導部は略中央部に配置すると共に、インクを含浸させたインク供給芯を配設したことを特徴とする筆記具。
【請求項２】
インク供給芯は、インク誘導部とインク供給芯との間に隙間を形成し、該隙間からインクで満たされていることを特徴とする請求項１記載の筆記具。
【請求項３】
インク供給芯が中継多孔体と一体であることを特徴とする請求項１又は２記載の筆記具。
【請求項４】
保持体のインク誘導部の外形を凸状に形成したことを特徴とする請求項１〜３の何れか一つに記載の筆記具。
【請求項５】
保持体のインク誘導部の外形を凹状に形成したことを特徴とする請求項１〜３の何れか一つに記載の筆記具。
【発明の詳細な説明】
【技術分野】
【０００１】
本発明は、筆記具本体内のインクをペン先の筆記部に供給するアンダーラインマーカー等と呼ばれるタイプの筆記具に関し、更に詳しくは、ペン先の視認部で筆記方向を広く視認することができると共に、終筆まで確実に筆記することができる筆記具に関する。
【背景技術】
【０００２】
従来より、ペン先の視認部で筆記方向を視認することができる筆記具としては、各構造の筆記具が知られている。
例えば、幅広の筆記部の多孔体を用いて視認部の面積比率を更に向上させた筆記具（例えば、本出願人による特許文献１参照）が知られている。
【０００３】
しかしながら、上記特許文献１は、幅広の筆記部の多孔体に対して細いインク誘導部を有するため、細いインク誘導部にインクを充填することが若干難しく、また、落下等の通常の衝撃では筆記時にカスレることはないが、更に強い衝撃があった場合にインク誘導部の一部に気泡が生じてしまい筆記時に若干カスレてしまうことがあった。
【先行技術文献】
【特許文献】
【０００４】
【特許文献１】特開２０１２−２０５７５号公報（特許請求の範囲、図１等）
【発明の概要】
【発明が解決しようとする課題】
【０００５】
本発明は、上記従来技術の課題に鑑み、これを解消しようとするものであり、視認部とインク誘導部を有する筆記具であって、生産性を向上させ、かつ筆記具の落下等による特に強い衝撃があってもインクのカスレも生じにくく、かつ筆記方向に書いてある文字を確実に読むことができる十分な視認性を付与し、終筆まで使用可能な筆記具を提供することを目的とする。
【課題を解決するための手段】
【０００６】
本発明者は、上記従来の課題等を解決するために、鋭意検討した結果、筆記方向を視認することができる視認部とインク誘導部を有する筆記具において、筆記部にインクを供給するためのインク誘導部の構造を特定構造などとすることにより、上記目的の筆記具が得られることを見出し、本発明を完成するに至ったのである。
【０００７】
すなわち、本発明は、次の（１）〜（５）に存する。
（１）  ペン先が、筆記部となる多孔体と、該多孔体を保持し、筆記部にインクを供給するためのインク誘導部を少なくとも１つ有する保持体とを備え、筆記具本体に含まれるインクを、上記保持体に設けたインク誘導部に供給するための中継多孔体を有し、かつ、上記保持体が、筆記方向を視認できる視認部となる筆記具であって、上記インク誘導部は略中央部に配置すると共に、インクを含浸させたインク供給芯を配設したことを特徴とする筆記具。
（２）  インク供給芯は、インク誘導部とインク供給芯との間に隙間を形成し、該隙間からインクで満たされていることを特徴とする上記（１）記載の筆記具。
（３）  インク供給芯が中継多孔体と一体であることを特徴とする上記（１）又は（２）記載の筆記具。
（４）  保持体のインク誘導部の外形を凸状に形成したことを特徴とする上記（１）〜（３）の何れか一つに記載の筆記具。
（５）  保持体のインク誘導部の外形を凹状に形成したことを特徴とする上記（１）〜（３）の何れか一つに記載の筆記具
【発明の効果】
【０００８】
本発明によれば、インク誘導孔にインク供給芯を配設することで、組立性が容易となり、また、筆記具の落下衝撃等による強い衝撃があってもインクカスレを防ぐことができる筆記具が提供される。
また、インク誘導部とインク供給芯との間に隙間を形成し、該隙間からインクで満たされる構成とすることにより、インク供給芯によるインク供給と、隙間の直液作用によるインクによるインク供給とを組み合わせることで、インク残量の視認ができ、また、インク切れを起こしても暫くは筆記を継続することができものとなる。
更に、インク供給芯が中継多孔体と一体とすることで、インク供給芯と中継多孔体との接続部間でのインク供給によるムラが無くなり、また、衝撃等によるインク掠れの防止をより向上させることができる。
更にまた、ペン先の断面外形を凹形状又は凸形状に形成することで視認部への変化を発揮し、視認部を介して筆跡を容易に確認することできる。凸形状の場合、文字、中芯がはっきり見え、凹形状の場合、インク供給芯が細くなるため、視認部を遮蔽されることがなくなり、意匠性を向上させることができる。
【図面の簡単な説明】
【０００９】
【図１】本発明の実施形態の一例を示す筆記具の縦断面図である。
【図２】（ａ）は前方側から見た図１の筆記具の斜視図、（ｂ）は後方側から見た図１の筆記具の斜視図である。
【図３】（ａ）及び（ｂ）は、本発明の筆記具におけるインク誘導部に配設するインク供給芯と中継多孔体との他例を示す縦断面図である。
【図４】（ａ）〜（ｃ）は、本発明の筆記具におけるインク誘導部に配設するインク供給芯と中継多孔体との他例を示す縦断面図である。
【図５】（ａ）〜（ｆ）は、本発明の筆記具における保持体の他例を示す各図面である。
【図６】（ａ）〜（ｆ）は、本発明の筆記具における保持体の他例を示す各図面である。
【発明を実施するための形態】
【００１０】
以下に、本発明の実施形態を図面を参照して詳しく説明する。
図１及び図２は、本発明の実施形態の一例を示す筆記具の各図面である。
本実施形態の筆記具Ａは、マーキングペンタイプの筆記具であり、図１及び図２に示すように、筆記具本体（軸部）となる軸筒１０、インク吸蔵体２０、中継多孔体３０、ペン先４０を備えている。
軸筒１０は、例えば、熱可塑性樹脂、熱硬化性樹脂、ガラス等で形成されるものであり、筆記具用インクを含浸したインク吸蔵体２０を収容する有底筒状の後軸１１と、ペン先４０を固着する先軸１５とを有している。
【００１１】
後軸１１は、例えば、ＰＰ等からなる合成樹脂を使用して長い有底楕円筒形（楕円軸）に成形され、筆記具本体として機能する。この後軸１１は、後端側内部にインク吸蔵体２０の後端部を保持する保持片からなる保持部材１２が設けられており、後軸全体及び後述する先軸は不透明又は透明（及び半透明）に成形されるが、外観上や実用上の観点からいずれを採用しても良い。また、後軸１１の開口部１３に先軸１５が嵌合等により固着される構造となっている。
【００１２】
先軸１５は、後方側に後軸１１の開口部１３に嵌合する環状の嵌合部１６と、前方側に肩部１７、ペン先４０の本体部４２を固着する筒状の嵌入部１８とを有すると共に、上記嵌合部１６内にはインク吸蔵体２０の前端部を保持する保持片からなる保持部材１９が設けられている。上記嵌入部１８の内周面上の後端側に嵌合部１８ａが設けられている。この構造の先軸１５は、例えば、ＰＰ等からなる合成樹脂などで成形されるものである。
【００１３】
インク吸蔵体２０は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体２０は、軸筒１０の本体部１１内に収容されている。
また、用いるインク組成は特に限定されず、アンダーラインペン等ではインクに蛍光色素、例えば、ベーシックバイオレット１１、ベーシックイエロー４０などを含有させることできる。
【００１４】
中継多孔体３０は、インク吸蔵体２０のインクを後述するペン先４０の保持体５５に設けたインク誘導部５０に供給する中継芯となるものであり、インク吸蔵体２０の前方側の挿入部２１に嵌入する構造となる。この中継多孔体３０は、インク吸蔵体２０と同様に繊維束、フェルト等の繊維束を加工した繊維束芯、または、硬質スポンジ、樹脂粒子焼結体等からなる樹脂粒子多孔体、スライバー芯等の連続気孔（流路）を有するものである。インク吸蔵体２０に含浸されたインクが中継多孔体３０を介して後述する保持体５５のインク誘導部５０に配設したインク供給芯５１へ供給できるものであれば、特にその形状、構造等は限定されるものでない。この中継芯の断面形状としては、例えば、円形、楕円形、正方形、長方形、台形、平行四辺形、ひし形、カマボコ形、半月形の形状が挙げられ、本実施形態では、断面形状が円形状となっている。
【００１５】
ペン先４０は、筆記部（ペン芯）となる多孔体４５を備えると共に、該多孔体４５を保持し、筆記部にインクを供給するためのインク供給芯５１を配設したインク誘導部５０を有する保持体５５とを備え、該保持体５５には後方側に中継多孔体３０を保持する筒状部４１を有する本体部４２が連設されている。
この本体部４２の外周面には、フランジ部４３が設けられ、筒状部４１の入り口には中継多孔体３０を嵌入保持する嵌入保持部４１ａが設けられている。
また、ペン先４０の本体部４２の外周面上には、先軸１５の嵌入部１８に設けた嵌合部１８ａに嵌合するための嵌合突部４２ａが設けられている。
【００１６】
筆記部となる多孔体４５は、保持体５５の先端部に固着されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、各種のプラスチック粉末などを焼結したポーラス体（焼結芯）などからなるものである。
【００１７】
この筆記部となる多孔体４５の形状としては、例えば、外観形状がチゼル形状、砲弾形状、円柱、楕円柱、立方体、直方体などの形状が挙げられ、また、その断面形状が台形、平行四辺形、ひし形、カマボコ形、半月形等となる形状が挙げられ、本実施形態では、チゼル形状となっている。チゼル形状とは、先端がペン軸の中心線に対して傾斜面を形成しており、傾斜面が平坦である形状である。
また、筆記部となる多孔体４５は、筆記しやすい傾きとなるように、好ましくは、本体軸の長軸方向に対して、４０〜９０°の角度で傾いていることが望ましく、本実施形態では、７５°の傾きとなっている。
これらの筆記部となる多孔体４５の形状、傾き等は、筆記等の使い勝手に合わせて適宜設定される。また、筆記部となる多孔体４５は、描線幅が太いものであり、好ましくは、描線幅２ｍｍ以上、更に好ましくは、描線幅３ｍｍ以上の描線幅となる筆記部である。
【００１８】
この本体部４２を含む保持体５５は、視認性を有する材料、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の材料から構成されるものであり、可視光線透過率が５０％以上となる材料から構成されることが好ましい。
この可視光線透過率が５０％未満の材料を使用した場合は、筆記方向に書いてある文字を有効に視認できないことがあり、好ましくない。更なる良好な視認機能を発揮できるようにするために、５０％以上透過する材料が好ましく、この可視光線透過率が８０％以上であれば、更に良好に視認できるものとなる。なお、可視光線透過率は、多光源測色計を用いて反射率を測定することで求めることができる。
【００１９】
この保持体５５は、上記各材料の一種類、または、耐久性、視認性の更なる向上の点などから、２種類以上の材料を用いて構成することができ、２種類以上の材料で構成する場合は、少なくとも一つが可視光線透過率５０％以上となる材料から構成されているものが好ましく、射出成形、ブロー成形などの各種成形法により成形することができる。
【００２０】
上記保持体５５内部には、筆記部にインクを供給するためのインク誘導部５０を少なくとも１つ有するものであり、本実施形態では、視認部の面積比率を最大限に発揮せしめる点、筆記部となる多孔体に効率的にインクを供給する点から、長手方向の中央にインク誘導部５０が貫通する形で１本設けられている。
このインク誘導部５０の形状、大きさ、本数等は、筆記具本体に含まれるインク吸蔵体２０に含浸されたインクが上記中継多孔体３０、インク誘導部５０内に配設したインク供給芯５１を介して筆記部となる多孔体４５へ毛管作用により効率よくインク供給できる構造等となるものであれば、その形状、構造、大きさ、本数などは適宜選択することができる。
【００２１】
特に、インク供給芯５１に十分な筆記流量を確保する点から、インク誘導部５０の幅方向の長さが３ｍｍ以上が望ましい。
また、保持体５５内部にインク誘導部５０の断面積の合計が７ｍｍ２以上であることが望ましい。
更に、インク誘導部５０の形状は、長軸方向である筆記部４５側に向かって直線が望ましいが、テーパーが形成されていてもよく、また、本体軸の長軸方向に対して０〜３０°の向きで、２本以上の複数本でもよいが、１本のみ設けられていることが望ましい。
【００２２】
上記構造となるインク誘導部５０の形成方法としては、例えば、インク誘導部形成用の棒状体等を備えた金型に樹脂を流し込んで射出成形、ブロー成形等の各樹脂成形法で成形後、型抜きをして保持体５５にインク誘導部５０を形成する方法、保持体５５成形後に、ドリル、レーザー加工などによりインク誘導部５０を形成する方法、保持体５５を二部材とし、それぞれにインク誘導部形成用の溝を形成した後、これらを接着、溶着などにより一体化して保持体５５にインク誘導部５０を形成する方法などが挙げられ、先行技術文献に記載された同様の方法で形成することができる。
【００２３】
上記インク誘導部５０内に配設するインク供給芯５１は、いわゆる中芯のことであり、主に、上述の中継多孔体と同様に、多孔体や繊維束芯、焼結体などから構成されるものである。インク供給芯５１の大きさなどは、上記長さ、断面積等となるインク誘導部５０内に配設でき、インク吸蔵体２０からのインクを筆記部となる多孔体４５へ効率よく供給できる構造等となるものであれば特に限定されないものである。
また、本発明では、保持体５５のインク供給芯５１が配設されたインク誘導部５０以外の部分が視認部を形成する面となるものであり、筆記方向を有効に視認するために、略平行面となっていることが望ましい。
【００２４】
また、上記保持体５５の上部側の両側面に、筆記部となるペン芯４５を保持するリブ体（図示せず）が設けられると共に、該リブ体間にはペン芯４５の底面と当接する底面部（図示せず）が設けられている。この底面部の中央部にはインク誘導部５０の出口が形成されている。更に、上記リブ体の一方の端面にペン芯４５の前端面が当接する当接部５７が設けられており、他方の端面はペン芯４５を挿入する入り口となっている。
【００２５】
本実施形態の筆記具Ａでは、インク誘導部５０は保持体５５の略中央部に配置すると共に、インク誘導部５０内にインクを含浸させたインク供給芯５１を配設したので、インク吸蔵体２０に含浸されたインクが上記中継多孔体３０、インク誘導部５０内に配設したインク供給芯５１を介して筆記部となる多孔体４５へ毛管作用により効率よくインク供給できるものとなり、また、インク誘導部５０にインク供給芯５１を配設することで、組立性が容易となり、また、筆記具の落下衝撃等による特に強い衝撃があってもインクカスレを防ぐことができるものとなる。
【００２６】
また、ペン先４０は、上述の如く、筆記部となる多孔体４５と、該多孔体４５を保持し、筆記部にインクを供給するためのインク誘導部５０を少なくとも１つ有する保持体５５を備えたものであり、筆記具本体１０に含まれるインクを、保持体５５に設けたインク供給芯５１を配設したインク誘導部５０に供給するための中継多孔体３０を有すると共に、上記保持体５５が、視認性を有する材料で構成されているので、筆記方向に書いてある文字を確実に読むことができる視認部を付与することができると共に、終筆まで使用可能な筆記具が提供される。
特に、インク誘導部５０を保持体５５の長手方向中央部に形成することにより、筆記部となる多孔体４５に、かたよりなく効率的にインクを供給できるので、更に、終筆まで使用可能な筆記具が提供されるものとなる。また、インク誘導部５０を保持体５５の長手方向中央部に形成することにより、筆記方向を定め易く、非常に筆記しやすい形状となるものである。更に、保持体５５の上部にリブ体５７を設けることにより、定規で筆記した際に、定規を汚さずに真直ぐな線などを引くこともできる。
【００２７】
図３〜図６は、本発明の筆記具の別の実施形態を示す各図面である。なお、図３〜図６中において、図１及び図２と同じ構成は同一符号を示してその説明を省略する。
図３（ａ）は、図１及び図２での筆記具Ａにおいて、インク供給芯５１を配設したインク供給部５０を二本設けた点で、筆記具Ａと異なるものである。この形態の場合、インク吸蔵体２０に含浸されたインクが中継多孔体３０、二本のインク供給芯５１を介して筆記部となる多孔体４５へ毛管作用により効率よく多くのインクを供給するものとなる。
【００２８】
図３（ｂ）は、インク供給芯と中継多孔体とを一体とした実施形態を示すものである。
図３（ｂ）は、図１及び図２での筆記具Ａにおいて、中継多孔体とインク供給芯とを一体としたインク供給体３１とした点でのみ、筆記具Ａと異なるものである。この形態の場合、インク吸蔵体２０に含浸されたインクが上記中継多孔体とインク誘導部とが一体となったインク供給体３１を介して直接筆記部となる多孔体４５へ毛管作用により効率よくインク供給するものであり、インク供給芯が中継多孔体と一体とすることで、インク供給芯と中継多孔体との接続部間でのインク供給によるムラが無くなり、また、衝撃等によるインクカスレの防止をより向上させることができるものとなる。なお、この形態の場合、インク誘導部５０の大きさも中継多孔体３０を保持する筒状体４１の大きさと同一となるので、筆記具Ａよりも保持体５５の視認部の面積比率が若干低下するものである。
【００２９】
図４（ａ）〜（ｃ）は、インク供給芯５１をインク誘導部５０の内周面に接触するように収容することなく、インク誘導部５０とインク供給芯５１との間に隙間５２を形成した状態で筆記部となる多孔体４５に接続した形態となるものである。
図４（ａ）は、図１及び図２の筆記具Ａにおいて、インク供給芯５１の配置をインク供給芯５１とインク誘導部５０との間に隙間５２を形成するように配置（収容）し、該隙間５２からインクで満たされている構成とした点で図１及び図２の筆記具と異なるものである。この形態の場合、インク供給芯５１によるインク供給と、隙間５２の毛管作用（直液作用）によるインクによるインク供給とを組み合わせることで、インク残量の視認ができ、また、インク切れを起こしても暫くは筆記を継続することができものとなる。
【００３０】
図４（ｂ）は、図３（ａ）のインク供給芯５１を配設したインク供給部５０を二本設けた筆記具において、各インク供給芯５１、５１と各インク誘導部５０、５０との間に各隙間５２、５２を形成するように配置（収容）し、該隙間５２、５２からインクで満たされている構成とした点で図３（ａ）の筆記具と異なるものであり、上記図４（ａ）と同様に機能するものである。
図４（ｃ）は、図３（ｂ）において、インク供給体３１において、前方のインク供給芯部分に相当する部分３１ａとインク誘導部５０との間に隙間５２を形成し、該隙間５２からインクで満たされている構成とした点で図３（ｂ）の筆記具と異なるものであり、上記図４（ａ）と同様に機能するものである。
【００３１】
図５及び図６は、本発明の筆記具における保持体の他例を示す各図面であり、それぞれ（ａ）は正面図、（ｂ）は平面図、（ｃ）は底面図、（ｄ）斜視図、（ｅ）は（ｂ）のＫ−Ｋ線断面図、（ｆ）は（ｂ）の左側面図である。
図５は、保持体５５のインク誘導部５０の外形部５５ａ、５５ａを凸状に形成したものであり、図６は、保持体５５のインク誘導部５０の外形部５５ｂ、５５ｂを凹状に形成したものである。
この形態のペン先の断面となる外形部５５ａ、５５ａを凸状に形成又は外形部５５ｂ、５５ｂを凹形状に形成することで視認部への変化を発揮し、視認部を介して筆跡を容易に確認することできる。外形部５５ａ、５５ａが凸レンズ形状の場合、文字、中芯がはっきり見え、外形部５５ｂ、５５ｂが凹レンズの場合、中芯が細くなるため、視認部を遮蔽されることがなくなり、意匠性を向上させることができる。
【００３２】
本発明の筆記具は、上記実施形態に限定されるものでなく、本発明の要旨を変更しない範囲で種々の形態に変更することができる。
また、上記実施形態の筆記具Ａでは、筆記具本体の軸筒などを楕円軸に形成したが、三角形状、四角形以上の方形状などの異形形状、正円形状にしてもよいものである。
【実施例】
【００３３】
次に、実施例により、本発明を更に詳述するが、本発明は下記実施例に限定されるものではない。
【００３４】
〔実施例１〕
（筆記具の構成：図１及び図２準拠）
（ペン先の構成）
筆記部ペン芯（多孔体４５）：ＰＥ製焼結芯、気孔率６０％、上辺長さ５ｍｍ、下辺長さ６ｍｍ、高さ３ｍｍ、前端面の両側を面取り加工
保持体５５（本体部含む）：ＡＢＳ樹脂製
インク誘導部５０：円筒形状、直径：φ３．１ｍｍ
インク供給芯５１：ＰＥＴ繊維束、  φ３．０ｍｍ
（ペン先以外の筆記具部材の構成）
中継芯３０：ＰＥＴ繊維束、気孔率６５％、φ４×２５ｍｍ
インク吸蔵体２０：ＰＥＴ繊維束、気孔率８５％、φ１３×５５ｍｍ
ペン芯４５と保持体５５の接着は下記により行った。
ペン芯は、保持体にペン芯を面取り部側から装着した状態で、有機溶剤（酢酸エチル）をしみ込ませ、乾燥させることで接着した。
【００３５】
（インク組成）
インクとして、下記組成の蛍光桃インクを使用した。
色材  ：ＶＣトナー桃（御国色素社製）              ３０質量部
湿潤剤：グリセリン                                ２５質量部
防腐剤：バイオエース（ケイアイ化成社製）        ０．７質量部
イオン交換水                                  ４４．３質量部
【００３６】
このように構成される本発明となる実施例１の筆記具を用いて、文字の上に筆記したところ、組立性が容易となり、また、当該筆記具を高さ１．５ｍから床に落下させる落下衝撃試験を行ったところインクカスレを防ぐことができることが判った。また、筆記時に視認部を介して向こう側の見え方を目視にて確認したところ、視認性が十分であり、非常に見やすく、筆記方向に書いてある文字を読みながら筆記することができた。
【００３７】
〔実施例２〕
（筆記具の構成：図１、図２及び図４（ａ）準拠）
（ペン先の構成）
上記実施例１の筆記具において、インク誘導部５０とインク供給芯５１を下記構成のものに代えて筆記具を作製した。
インク誘導部５０：円筒形状、直径：φ４．０ｍｍ
インク供給芯５１：ＰＥＴ繊維束、  φ３．５ｍｍ
このように構成される本発明となる実施例２の筆記具を用いて、文字の上に筆記したところ、組立性が容易となり、また、上記落下衝撃試験においてもインクカスレを防ぐことができ、インク残量の視認が良好であり、また、インク切れを起こしても暫くは筆記を継続することができことが判った。
【００３８】
〔実施例３〕
（筆記具の構成：図１、図２及び図３（ｂ）準拠）
（ペン先の構成）
上記実施例１の筆記具において、中継多孔体とインク供給芯を一体とした下記構成のインク供給体を用いて筆記具を作製した。
インク供給体３１：ＰＥＴ繊維束、φ４．０ｍｍ
このように構成される本発明となる実施例３の筆記具を用いて、文字の上に筆記したところ、組立性が容易となり、また、上記落下衝撃試験においてもインクカスレを防ぐことができることが判った。
【産業上の利用可能性】
【００３９】
本発明の筆記具では、アンダーラインペン、ペイントマーカー、油性マーカー、水性マーカーと呼ばれるタイプの筆記具に好適に使用することができる。
【符号の説明】
【００４０】
Ａ  筆記具
１０  筆記具本体
１１  後軸
１５  先軸
２０  インク吸蔵体
３０  中継多孔体  
４０  ペン先
４５  筆記部
５０  インク誘導部
５１  インク供給芯
５５  保持体
【図１】
2014050970.tif 000003
【図２】
2014050970.tif 000004
【図３】
2014050970.tif 000005
【図４】
2014050970.tif 000006
【図５】
2014050970.tif 000007
【図６】
2014050970.tif 000008